(57)【特許請求の範囲】
【請求項１】
暗所での視認性及び装飾性を付与した夜光性装飾物であって、
暗所で視認性を付与するための夜光性部材と、
明所での視認性及び装飾性を有する装飾部材と、を備え
前記夜光性部材と前記装飾部材とが同一領域内に混在して配置され、
前記装飾部材は、前記夜光性部材を露出する開口部を有し、
前記夜光性部材の視認側に透明部材を有し、
前記装飾部材は、視認側の面が鏡面であり、
前記開口部の幅は、３μｍ以上、１１．６μｍ以下である
ことを特徴とする夜光性装飾物。
【請求項２】
前記装飾部材は、金属である
ことを特徴とする請求項１に記載の夜光性装飾物。
【請求項３】
前記透明部材は、前記夜光性部材上及び前記装飾部材上に配置していることを特徴とする請求項１又は請求項２に記載の夜光性装飾物。
【請求項４】
前記透明部材の上に前記装飾部材を設け、前記透明部材における前記装飾部材を設けていない面と前記夜光性部材とを対向するように配置していることを特徴とする請求項１又は請求項２に記載の夜光性装飾物。
【請求項５】
前記装飾部材は、前記夜光性部材を配置するための凹部を有することを特徴とする請求項１から請求項４のいずれか一つに記載の夜光性装飾物。
【請求項６】
前記装飾部材は、基材上に設けられた凸部であり、前記凸部によって前記夜光性部材を配置するための凹部が形成されていることを特徴とする請求項１から請求項４のいずれか一つに記載の夜光性装飾物。
【請求項７】
前記夜光性部材が配置されている領域の形状が、前記夜光性装飾物の形状と異なっていることを特徴とする請求項１から請求項６のいずれか一つに記載の夜光性装飾物。
【請求項８】
前記透明部材は、前記夜光性部材の発光色を調整する色調整層であることを特徴とする請求項１から請求項７のいずれか一つに記載の夜光性装飾物。
【発明の詳細な説明】
【技術分野】
【０００１】
本発明は、腕時計、携帯電子機器、各種計器類等に適用する夜光性装飾物に関し、蓄光性部材を用いて夜間の暗い場所でも表示部の視認を可能にした夜光性装飾物に関する。
【背景技術】
【０００２】
例えば、指針を用いる腕時計において、夜間の暗い場所（以下、「暗所」と記載する）でも時刻が視認できるように文字板及び指針の一部に蓄光性部材（以下、「夜光性部材」と記載する）を印刷し、又はシート状にして貼り付けるなどの方法によって蓄光部を形成し、日中の明るい場所（以下、「明所」と記載する）での外部光により蓄光部にエネルギーを蓄え、夜間の暗所で蓄光部を発光させて、時刻の認識を可能にしたものが知られている。
【０００３】
このような腕時計では、暗所では蓄光部の発光により時刻を知ることができるが、明所では文字板又は指針に形成した夜光性部材が特有の白緑色系の色に見えてしまい、装飾性に欠ける問題があり、この改善が望まれていた。背景としては、腕時計は時刻を報知する装置としてだけでなく、装飾品としての役割があるためである。
【０００４】
このような要求に対しては、従来、例えば指針式の腕時計を例として、夜光性部材の面積や配置を工夫して、明所では夜光性部材が目立たないようにして時刻を知り、暗所では発光素子を用いて夜光性部材を発光させて表示部を照明し、時刻を知るような提案がなされている。（例えば、特許文献１参照。）。
【０００５】
特許文献１に示した従来技術は、微細な貫通孔が多数形成された金属板からなる文字板と、貫通孔内に充填された夜光性部材と、文字板の裏側に夜光性部材を発光させるための発光素子が設けられ、暗所では発光素子の照射により夜光性部材を発光させて文字板を照明し、時刻の読み取りを可能にしている。
【０００６】
このような構成とすることにより、暗所では文字板全体を所望の時に発光させて時刻の読み取りを可能にし、明所では金属性の文字板による金属感のある装飾性を得るとともに時刻を知るようにしている。
【先行技術文献】
【特許文献】
【０００７】
【特許文献１】特開２００３−２４８４４５号公報（第１頁、第１図）
【発明の概要】
【発明が解決しようとする課題】
【０００８】
特許文献１に示した従来技術は、ステンレスなどの金属板を用いた文字板に段差のある微細な貫通孔を多数形成し、各貫通孔に夜光性部材を充填形成し、文字板の裏側に導光板を配置してなり、発光素子から発光される紫外線が導光板を経由してバックライトとして各貫通孔に形成された多数の夜光性部材を発光させることによって、文字板の表示部側の全体を照明して時刻を知るようにしている。
【０００９】
しかしながら、特許文献１に示す従来技術において、貫通孔を文字板の広い面積に多数配置し、各貫通孔の孔径が金属板の厚み（例えば０．１ｍｍ程度）よりも小さく形成して目立たないようにして金属感を得るようにしているが、多数の貫通孔を有する薄い文字板全体を鏡面のような光沢を有する高級感ある装飾面とするのは容易ではない。例えば研磨
等の工程を設けて鏡面のような光沢を得ることはできるが、工程の増加により費用がかかる上、腕時計の風防ガラスが組み込まれて表示部が保護されるまでの組立工程において光沢面にキズがつきやすいという問題もある。
【００１０】
また、従来技術は、照明用の発光素子を発光させるために腕時計の電池などの電気エネルギーを利用して文字板の表示部側の全体を照明して時刻を知るようにしており、発光用として外部光を利用するものではない。そのため、外部光を効率良く取り入れて蓄光するための夜光性部材の有効配置に関するものではない。
【００１１】
また、貴金属等を用いた装飾部材に夜光性部材を組み込み、明所では高級な金属感を有し、暗所では指針や時字の一部又は文字板の一部を蓄光された夜光性部材で発光させて時刻を知るような夜光性装飾物に関するものではない。
【００１２】
このように、特許文献１に示した従来技術は、文字板に貫通孔を多数形成し貫通孔に夜光性部材を充填する構成とすることによって、暗所では、夜光性部材の発光により時刻を知るようにし、明所では、文字板の貫通孔（開口部）が目立たないようにして金属感を確保しようとする技術であるが、明所では鏡面状の光沢を有する高級な金属感を有し、暗所では外部光を有効に利用した夜光性部材による表示により時刻の認識を可能にしたものではない。
【００１３】
そこで、本発明の目的は、上記問題点を解決しようとするものであり、外部光を有効に利用する夜光性部材を用いて表示する夜光性装飾物であって、表示部に設けられる装飾部材の高級感のある鏡面状の光沢を容易に得られ、また保護することができる夜光性装飾物を提供することである。
【００１４】
また、本発明の他の目的は、外部光を有効に利用して夜光性部材の蓄光を効率良く行うことができる夜光性装飾物を提供することである。
【課題を解決するための手段】
【００１５】
本発明における夜光性装飾物の構成は以下の通りである。
暗所での視認性及び装飾性を付与した夜光性装飾物であって、暗所で視認性を付与するための夜光性部材と、明所での視認性及び装飾性を有する装飾部材とを備え、夜光性部材と装飾部材とが同一領域内に混在して配置され、装飾部材は、夜光性部材を露出する開口部を有し、夜光性部材の視認側に透明部材を有し、装飾部材は、視認側の面が鏡面であり、開口部の幅は、３μｍ以上、１１．６μｍ以下であることを特徴とする。また、装飾部材は、金属であることが好ましい。
【００１６】
これにより、夜光性部材と装飾部材とが同一領域内に混在して配置され、夜光性部材を露出する開口部を有する装飾部材に透明部材を配置したので、透明部材に所定の金属膜を形成するときに、透明部材の表面平滑性を活かした金属膜の形成ができる。したがって、鏡面状の光沢を有する装飾部材を容易にパターン形成することができる。その結果、暗所では夜光性部材の発光を視認することができ、明所では鏡面状の光沢を有し金属感のある装飾部材を得ることができる。
【００１７】
また、夜光性部材上及び装飾部材上に透明部材を配置しているとよい。
【００１８】
これにより、透明部材上に開口部を有する装飾部材を形成することができるので、透明部材の表面平滑性を活かした鏡面を有する装飾部材とすることができ装飾部材表面の研磨などの平滑化工程を省略できる。また、透明部材は、装飾部材の保護層とすることができるのでキズがつきにくくまた耐蝕性を向上させることができる。
【００１９】
また、透明部材は、装飾部材を設けていない面と夜光性部材とを対向するように配置し
ているとよい。
【００２０】
これにより、透明部材の表面平滑性を利用して装飾部材をパターン形成し、透明部材の装飾部材を設けていない面を夜光性部材と対向させて配置するので、鏡面状の光沢を有する装飾部材を得られる。また、透明部材は、装飾部材と夜光性部材の間に配置され導光板として作用する。その結果、外部光を装飾部材の開口部から取り入れて透明部材内で拡散して夜光性部材に吸収されるので蓄光効率が向上し、発光時間を延ばすことができる。
【００２１】
また、装飾部材は、夜光性部材を配置するための凹部を有するとよい。
【００２２】
これにより、装飾部材に直接凹部を設けて夜光性部材を形成できるので、比較的小形の部品やその一部に夜光性部材を形成することができ、製造も容易な夜光性装飾物を提供することができる。
【００２３】
また、装飾部材は、基材上に設けられた凸部であり、凸部によって夜光性部材を配置するための凹部が形成されていてもよい。
【００２４】
これにより、剛性のある基材上の所定領域に装飾部材をパターン形成するとともに凹部を形成し、装飾部材に形成された凹部に夜光性部材を配置することができるので、剛性と装飾性を両立できる。また、高価な装飾部材の使用量を抑制することができる。
【００２５】
また、夜光性部材が配置されている領域の形状が、夜光性装飾物の形状と異なっているとよい。
【００２６】
これにより、夜光性装飾物の形状とは異なる形状に暗所で夜光性部材を発光させることができるので文字やマーク等を任意に発光表示することができる。また、夜光性部材を全面に形成する必要がないので夜光性部材の使用量を抑制できる。
【００２７】
また、透明部材は、夜光性部材の発光色を調整する色調整層であるとよい。
【００２８】
これにより、染料、顔料、蛍光体などを含有した透明部材を用いることで透明部材を色調整層とすることができる。その結果、夜光性部材の発光色の色味を任意に変えることができる。
【発明の効果】
【００２９】
本発明によれば、表示部に設けられる夜光性装飾物に透明部材の表面平滑性を生かして装飾部材を形成するので、高級感のある鏡面状の光沢を容易に得られ、また保護することができる夜光性装飾物を提供することができる。
また、透明部材が導光板として作用することで、外部光を有効に利用して夜光性部材の蓄光を効率良く行うことができる夜光性装飾物を提供することができる。
【図面の簡単な説明】
【００３０】
【図１Ａ】本発明の第１の実施形態における第１構成例を示す断面図である。
【図１Ｂ】本発明の第１の実施形態における第２構成例を示す断面図である。
【図１Ｃ】本発明の第１の実施形態における第３構成例を示す断面図である。
【図１Ｄ】本発明の第１の実施形態における第４構成例を示す断面図である。
【図２Ａ】本発明の第１の実施形態における第１〜第４の構成例の製造工程を示す工程図である。
【図２Ｂ】本発明の第１の実施形態における第１〜第４の構成例の製造工程を示す工程図である。
【図２Ｃ】本発明の第１の実施形態における第１〜第４の構成例の製造工程を示す工程図である。
【図２Ｄ】本発明の第１の実施形態における第１〜第４の構成例の製造工程を示す工程図である。
【図２Ｅ】本発明の第１の実施形態における第１〜第４の構成例の製造工程を示す工程図である。
【図２Ｆ】本発明の第１の実施形態における第１〜第４の構成例の製造工程を示す工程図である。
【図３Ａ】本発明の第２の実施形態を示す断面図である。
【図３Ｂ】本発明の第３の実施形態を示す断面図である。
【図３Ｃ】本発明の第４の実施形態を示す断面図である。
【図４Ａ】本発明の第５の実施形態を示す平面図である。
【図４Ｂ】本発明の第５の実施形態を示す断面図である。
【図４Ｃ】本発明の第５の実施形態における第１変形例を示す断面図である。
【図４Ｄ】本発明の第５の実施形態における第２変形例を示す断面図である。
【図４Ｅ】本発明の第５の実施形態における第３変形例を示す断面図である。
【図５Ａ】各実施形態における装飾部材の第１開口パターン例を示す平面図である。
【図５Ｂ】各実施形態における第１開口パターン例の断面構成を示す断面図である。
【図６Ａ】各実施形態における装飾部材の第２開口パターン例を示す平面図である。
【図６Ｂ】各実施形態における第２開口パターン例の断面構成を示す断面図である。
【図７Ａ】各実施形態における装飾部材の第３開口パターン例を示す平面図である。
【図７Ｂ】各実施形態における第３開口パターン例の断面構成を示す断面図である。
【図８】各実施形態における視力と視認距離と開口幅の関係を示すグラフである。
【図９Ａ】各実施形態における年齢とディオプトリ―と近点との関係を示す表である。
【図９Ｂ】各実施形態における年齢と近点との関係を示すグラフである。
【図１０】各実施形態における装飾部材の開口パターン例を示す平面図である。
【図１１Ａ】本発明を指針式の腕時計に応用した例を示す断面図である。
【図１１Ｂ】本発明を指針式の腕時計に応用した例を示す平面図である。
【図１１Ｃ】本発明を指針式の腕時計に応用した例を示す斜視図である。
【発明を実施するための形態】
【００３１】
以下、図面に基づいて本発明の実施形態を詳述する。
ただし、以下に示す実施形態は、本発明の思想を具体化するための夜光性装飾物を例示するものであって、本発明は以下に説明する構成に特定するものではない。特に実施形態に記載されている構成部材の材質、形状、その相対的配置等は特定的な記載がない限りは本発明の範囲をそれのみに限定する趣旨ではなく説明例に過ぎない。さらに、各図面が示す部材の大きさや位置関係等は説明をわかりやすくするために誇張していることがある。
【００３２】
本発明は、表示部に設けられる夜光性装飾物に、明所では高級感のある鏡面を容易に得ることができ、また外部光を効率よく蓄光して、暗所では発光表示する夜光性装飾物とするものである。
【００３３】
このような夜光性装飾物を実現するために、明所での視認性及び装飾性を備え夜光性部材を露出する開口部を有する装飾部材において、透明部材を用いてその光沢面を利用することで、鏡面状の光沢面を形成して高級な金属感を得ようとするものである。
【００３４】
以下、図面を用いて夜光性装飾物を詳述する。説明にあっては、同一要素には同一番号を付し、重複する説明は省略するものとする。また、発明に関係のない部分は省略している。
【００３５】
まず、図１Ａ〜図１Ｄを用いて、第１の実施形態（４つの構成例）を説明し、図２Ａ〜図２Ｆを用いてその製造方法を説明する。次に、図３Ａを用いて第２の実施形態を、図３Ｂを用いて第３の実施形態を、図３Ｃを用いて第４の実施形態をそれぞれ説明する。次に、図４Ａ〜図４Ｅを用いて、第５の実施形態とその変形例（第１〜第３の変形例）を説明する。次に、図５Ａ、図５Ｂを用いて各実施形態に係る装飾部材の第１の開口パターン例を説明し、図６Ａ、図６Ｂを用いて第２の開口パターン例を説明し、図７Ａ、図７Ｂを用いて第３の開口パターン例を説明する。次に、図８、図９Ａ、図９Ｂ、図１０を用いて、各実施形態に係る視力と視認距離と開口幅の関係、及び年齢とディオプトリ―と近点の関係、及び各種開口パターン例をそれぞれ説明する。そして、図１１Ａ〜図１１Ｃを用いて本発明を指針式の腕時計に応用した例を説明する。
【００３６】
［第１の実施形態（４つの構成例）の説明：図１Ａ〜図１Ｄ］
まず、図１Ａ〜図１Ｄを用いて第１の実施形態の４つの構成例である夜光性装飾物５０、夜光性装飾物５５、夜光性装飾物６０、夜光性装飾物６５を説明する。図１Ａ〜図１Ｄは、４つの構成例のそれぞれの要部断面図を示す。
【００３７】
第１の実施形態の４つの構成例の特徴は、いずれも夜光性装飾物を視認する際に、夜光性部材３と装飾部材２とが同一領域内に混在して配置され、夜光性部材３の視認側に透明部材５を有している点である。
【００３８】
まず、図１Ａにおいて、夜光性装飾物５０は、装飾部材２が夜光性部材３と透明部材５に挟まれるように配置され、透明接着剤５ｓにて接合されている。装飾部材２は、透明部材５の光沢面に、例えば、金、プラチナなどを真空蒸着やスパッタリングなどの方法によって所定の厚さに形成した装飾用の金属層からなり、装飾部材２の所定の領域にフォトリソ法などの方法によって、例えばスリット状の開口部１をパターン化したものである。開口部１の開口部１の幅はｔ、開口部１間の装飾部材２の幅はｗである。この開口部１の幅ｔ、装飾部材の幅ｗの具体例と、視認と金属感については後述する。尚、装飾部材２の厚さは誇張して描かれているが、実際の厚さは、特に限定はしないが、例えば数０．１μｍ〜数μｍ程度で視認したときの金属感や光の透過度合いを考慮して適宜決定する。
【００３９】
次に、図１Ｂにおいて、夜光性装飾物５５は、装飾部材２が夜光性部材３と透明部材５に挟まれるように配置され、夜光性接着剤３ｓによって接合されている。夜光性接着剤３ｓは、透明接着剤に周知の蓄光材料粒子を含有させた、いわゆる蓄光塗料を用いることができる。装飾部材２の厚さやパターン形状は夜光性装飾物５０と同様である。
【００４０】
次に、図１Ｃにおいて、夜光性装飾物６０は、装飾部材２が透明部材５の上面側になるようにして、装飾部材２を設けていない透明部材５の面と夜光性部材３とが対向して配置され、夜光性接着剤３ｓ又は透明接着剤５ｓにて接合されている。装飾部材２の厚さやパターン形状は夜光性装飾物５０と同様である。
【００４１】
次に、図１Ｄにおいて、夜光性装飾物６５は、装飾部材２が透明部材５の上面側になるようにして、装飾部材２を設けていない透明部材５の面に夜光性接着剤３ｓを塗布し、乾燥固化している。装飾部材２の厚さやパターン形状は夜光性装飾物５０と同様である。
【００４２】
［発光動作の説明：図１Ａ〜図１Ｄ］
夜光性装飾物５０、５５において、透明部材５の上面側から入射した外部光は、透明部材５の内部を透過し、装飾部材２に設けられた開口パターン（開口幅ｔ、装飾部材幅ｗ）の開口部１から夜光性部材３に入射し吸収される。そして、外部光の光エネルギーを吸収した夜光性部材３は励起状態となり、外部光が遮断されると、基底状態に戻る過程でゆっ
くり発光する。このようにして、夜光性装飾物５０、５５は、例えば腕時計の時字や指針に設けられて、表示部の所定の位置の所定の領域において発光し、明所では、主に装飾部材２の金属光沢を視認し、暗所では、開口部１を通過する夜光性部材３の発光を視認することができ、時刻を知ることが可能となる。
【００４３】
次に、夜光性装飾物６０、６５において、装飾部材２の上面側から入射した外部光は、装飾部材２に設けられた開口パターン（開口幅ｔ、装飾部材幅ｗ）の開口部１を通過して透明部材５に入射する。透明部材５に入射した光は、透明部材５内で拡散して夜光性部材３に入射して吸収される。図１Ａ及び図１Ｂに示す夜光性装飾物５０、５５との相違点は、夜光性部材３又は夜光性接着剤３ｓと装飾部材２とが透明部材５を介して配置されているため、外部光が透明部材５内で拡散し、透明部材５と接している夜光性部材３又は夜光性接着剤３ｓの面全体に外部光が照射される点である。発光動作については前述した夜光性装飾物５０、５５と基本的には同様であるが、暗所で夜光性部材３又は夜光性接着剤３ｓが発光する際も透明部材５と接している夜光性部材３又は夜光性接着剤３ｓの面全体が発光するため、蓄光効率を向上させて発光時間を延ばすことができる。
【００４４】
［製造方法の説明：図２Ａ〜図２Ｆ］
次に、上述した第１の実施形態の４つの構成例の製造方法について簡単に説明する。図２Ａ〜図２Ｄは、夜光性装飾物５０、５５、６０、６５の製造方法の主要な前半工程Ｓ１〜Ｓ４を示す断面図であり、図２Ｅ〜図２Ｆは、後半の製造工程Ｓ５−ａ、Ｓ５−ｂを示す断面図である。
【００４５】
［製造工程Ｓ１〜Ｓ５−ｂの説明：図２Ａ〜図２Ｆ］
図２Ａに示す製造工程Ｓ１において、透明部材５は、例えば、アクリル、ポリカ―ボネートなどの透明樹脂、又はガラスなど、表面が鏡面状の光沢を有するものを用いる。透明部材５の表面全体に、例えばスパッタリングや蒸着等の方法を用いて装飾部材２を所定の厚さに形成する。
【００４６】
次に、図２Ｂに示す製造工程Ｓ２において、透明部材５に形成された装飾部材２上にフォトリソ法等を用いてレジスト１１を所定のパターンに形成する。
【００４７】
次に、図２Ｃに示す製造工程Ｓ３において、装飾部材２の不要部をエッチング法等により除去して所定の開口パターンを形成する。
【００４８】
次に、図２Ｄに示す製造工程Ｓ４において、レジスト１１を除去する。これにより、透明部材５の表面に所定の開口パターンを有する装飾部材２が形成される。ここで、装飾部材２に設けられた開口パターンの開口部１の開口部１の幅はｔ、開口部１間の装飾部材２の幅はｗである。
【００４９】
そして、図２Ｅに示す製造工程Ｓ５―ａにおいて、前述の装飾部材２がパターン形成された透明部材５の上下を図２Ｄに示した状態と逆にして、透明部材５の装飾部材２を形成した面と夜光性部材３とを対向させた状態で透明接着剤５ｓ又は夜光性接着剤３ｓを用いて接着する。これにより、図１Ａ及び図１Ｂに示す夜光性装飾物５０又は５５が形成される。
【００５０】
一方、図２Ｆに示す製造工程Ｓ５―ｂにおいて、前述の装飾部材２がパターン形成された透明部材５の上下を図２Ｄに示した状態のままにして、透明部材５の装飾部材２が形成されていない面と夜光性部材３を対向させた状態で透明接着剤５ｓ又は夜光性接着剤３ｓを用いて接着する。これにより、図１Ｃに示す夜光性装飾物６０が形成される。図１Ｄに示す夜光性装飾物６５については、装飾部材２がパターン形成された透明部材５の装飾部
材２が形成されていない面に夜光性接着剤３ｓのみを配置することにより形成される。
【００５１】
尚、Ｓ１〜Ｓ４に示した製造工程は、透明部材５の表面の光沢を活かして装飾部材２をパターン形成するものである。一方、夜光性部材３の表面に装飾部材２を形成する方法もある。その場合は、夜光性部材の表面光沢が期待できないので、鏡面状の光沢を得るのが難しい。したがって、用途によって鏡面状の光沢の要否を検討し製造方法を選択することが好ましい。
【００５２】
また、製造工程Ｓ５―ａ又はＳ５―ｂにおいて、透明接着剤５ｓ又は夜光性接着剤３ｓを用いたが、接合面における屈折又は界面反射等の視認への悪影響を避けるために、夜光性接着剤３ｓのバインダ又は透明接着剤５ｓは、透明部材５と屈折率が近い材料を選択することが望ましい。
【００５３】
［効果の説明］
第１の実施形態の４つの構成例の、夜光性装飾物５０、５５、６０、６５はいずれも透明部材５の表面平滑性を活かして装飾部材２として金属膜を成膜するので、明所では高級感のある鏡面状の金属光沢を容易に得られ、且つ、開口部１が目立たない夜光性装飾物とすることができる。また、外部光を吸収した夜光性部材３は、暗所で所定の発光表示を行うことができる。
【００５４】
また、夜光性装飾物５０、５５は、透明部材５が製造工程上あるいは製品化後の保護層として機能し、キズ防止や耐蝕性に効果がある。また、夜光性装飾物６０、６５は、透明部材５が導光板として作用し、装飾部材２の開口部１を通過した光が放射状に広がり拡散するため、夜光性部材３の全体に均一に光を照射することができる。そのため、夜光性部材３の蓄光効率を向上させて発光時間を延ばすことができる。
【００５５】
尚、夜光性装飾物６０、６５は最表面に装飾部材２が露出するので、必要に応じて、所定の厚さに形成した他の透明部材を第２の透明部材５として、装飾部材２の表面に接着等により設けて保護層としてもよい。一方、夜光性装飾物５０、５５は、装飾部材２と夜光性部材３の間に第２の透明部材５を導光板として設けてもよい。
【００５６】
また、夜光性装飾物５０、５５、６０、６５は、いずれも夜光性部材３の上面に装飾部材２が形成された透明部材５を積層構成する基本型の夜光性装飾物であり、腕時計の表示部を例にすれば、文字板、時字、指針、ロゴ、見切り部材等に適用することができ、各部材の一部に構成してもよく、あるいは全体に構成してもよい。
【００５７】
また、特に限定はしないが、装飾部材２に用いる主な金属材料をあげておく。例えば金、銀、プラチナ、クロムである。また、特に限定はしないが、透明部材に用いる材料は、例えばアクリル、ポリカ―ボネート等の透明樹脂、又はガラスである。また、特に限定はしないが、夜光性部材３に用いる材料は、例えばＺｎＳ系、ＳｒＡｌ２Ｏ４系の顔料であり、発光色も特に限定はしないが、青緑色系、黄緑色系、黄色系、橙色系などである。また、特に限定はしないが、夜光性装飾物５０、５５、６０、６５を組み込む基材の材料をあげておく。例えば、ステンレスなどの金属、セラミック、樹脂、ガラスなどである。
【００５８】
［第２の実施形態の説明：図３Ａ］
次に、図３Ａを用いて第２の実施形態である夜光性装飾物７０を説明する。図３Ａは、夜光性装飾物７０の断面図を示す。
【００５９】
第２の実施形態の夜光性装飾物７０の特徴は、基材４に夜光性部材３を配置するための凹部１２を設け、凹部１２に夜光性部材３を形成し、基材４上に装飾部材２を形成した点
である。夜光性装飾物７０の他の基本的な構成は、夜光性装飾物５０と同一であるので、同一要素には同一符号を付し、重複する説明は省略する。また、製造方法についても要点のみ説明する。
【００６０】
図３Ａにおいて、例えばステンレスなどを用いた基材４に凹部１２が所定の間隔で複数形成されていて夜光性部材３が充填形成されている。また、基材４及び夜光性部材３の上面には装飾部材２が所定の厚さで形成され、開口部１がパターン化されている。装飾部材２は、前述の夜光性装飾物５０と同様に透明部材５の表面を利用して形成されている。夜光性部材３が形成される凹部１２のピッチは装飾部材２の開口部１のピッチと同じになっていて、装飾部材２の開口部１が夜光性部材３の上に重なるようになっている。また、装飾部材２に設けられた凹部１２の開口幅はｔ、装飾部材２の幅はｗであり前述した夜光性装飾物５０と同様である。
【００６１】
次に、夜光性装飾物７０の製造方法について説明する。まず、基材４上に所定の開口部１の幅を有する凹部を例えばエッチングなどによって形成し、夜光性部材３をスキージ等によって基材４の凹部１２に充填形成し乾燥固化させる。次に、基材４及び夜光性部材３の上面に、前述の工程Ｓ５―ａ（図２Ｅ参照）と同様に、装飾部材がパターン形成された透明部材を接着する。
【００６２】
これにより、夜光性装飾物７０は、夜光性部材３を基材の一部の領域に限定して形成できるので、夜光性部材３の使用量を少なくすることができ経済的である。また、装飾部材２の開口部１の幅ｔより凹部１２の幅が広いので夜光性部材３を比較的多めに充填できる。その結果、夜光性部材３の充填量が少ない割には発光時間を延ばすことができる。尚、凹部１２の深さは、一般的な夜光性部材３を使用する場合、２００μｍから３００μｍが好ましいが、夜光性部材３の発光時間によって適宜設定するとよい。尚、基材４は、例えばシリコン基板を用いてＲＩＥ（ドライエッチングの一種）により深堀する方法で凹部を形成することもできる。
【００６３】
以上説明した様に、夜光性装飾物７０は、明所では装飾部材２の開口部１が目立たない鏡面状の光沢を有する金属感を得られ、暗所では所定の発光表示を行うことができる夜光性装飾物とすることができる。尚、装飾部材２の１つの開口部に対して１つの凹部１２を形成するとしたが、それに限定されず、装飾部材２の複数の開口部にまたがって凹部１２を設ける構成としてもよい。
【００６４】
［第３の実施形態の説明：図３Ｂ］
次に、図３Ｂを用いて第３の実施形態である夜光性装飾物７５を説明する。図３Ｂは、夜光性装飾物７５の断面図を示している。
【００６５】
第３の実施形態の夜光性装飾物７５の特徴は、装飾部材２に夜光性部材３を配置するための凹部１２を用いてパターン化し、凹部１２内に夜光性部材３を形成した点である。
【００６６】
図３Ｂにおいて、装飾部材２の上面には凹部１２が所定の間隔で複数形成されている。装飾部材２に設けられた凹部１２は、開口部１の開口幅がｔ、装飾部材２の幅がｗであり、前述した夜光性装飾物５０と同様である。凹部１２には夜光性部材３が充填形成されている。そして、装飾部材２及び夜光性部材３の上面には透明部材５が接着されている。
【００６７】
次に、夜光性装飾物７５の製造方法について説明する。
まず、装飾部材２上に開口幅ｔ、装飾部材幅ｗとして凹部１２を、エッチング等を用いてパターン形成する。次に、凹部１２に夜光性部材３をスキージ等によって充填形成し乾燥固化させる。そして、基材４及び夜光性部材３の上面に透明接着剤５ｓを用いて透明部
材５を接着する。
【００６８】
以上説明したように、夜光性装飾物７５は、明所では装飾部材２の開口パターが目立たない金属感を得られ、暗所では所定の発光表示を行うことができる夜光性装飾物とすることができる。尚、夜光性装飾物７５は、装飾部材２に直接、凹部１２を設けて夜光性部材３を形成できるので、例えば高価な装飾部材を用いる小さな装飾部に適している。凹部１２の深さは、一般的な夜光性部材３を使用する場合、２００μｍから３００μｍが好ましいが、夜光性部材３の発光時間等を考慮して設定するとよい。
【００６９】
［第４の実施形態の説明：図３Ｃ］
次に、図３Ｃを用いて第４の実施形態である夜光性装飾物８０を説明する。図３Ｃは、夜光性装飾物８０の断面図を示している。
【００７０】
第４の実施形態の夜光性装飾物８０の特徴は、基材４上に装飾部材２による凸部を形成すると同時に、夜光性部材３を配置するための凹部１２をパターン化し、凹部１２に夜光性部材３を形成した点である。
【００７１】
図３Ｃにおいて、基材４の上面には凸状に装飾部材２が所定の間隔で形成されている。装飾部材２に設けられた凹部１２は、開口幅がｔ、装飾部材２の幅がｗであり、前述した夜光性装飾物５０と同様である。凹部１２には夜光性部材３が充填されている。そして、装飾部材２及び夜光性部材３の上面には透明接着剤５ｓを用いて透明部材５が接着されている。
【００７２】
次に、夜光性装飾物８０の製造方法について説明する。
まず、基材４上に装飾部材２を所定の厚さに電鋳法等を用いて、開口幅ｔ、装飾部材幅ｗとしてパターン形成する。レジストを除去後に凹部１２に夜光性部材３を充填形成し乾燥固化させる。そして、装飾部材２及び夜光性部材３の上面に透明接着剤５ｓを用いて透明部材５を接着する。
【００７３】
以上説明したように、夜光性装飾物８０は、明所では装飾部材２の開口パターンが目立たない金属感を得られ、暗所では所定の発光表示を行うことができる夜光性装飾物とすることができる。尚、夜光性装飾物８０は、基材４の上面に直接、夜光性部材３と装飾部材２とを構成する構造であるので剛性と装飾性を両立することができる。例えば基材４上の限定された領域に夜光性装飾物８０を形成することによって高価な装飾部材２の使用量を抑制でき経済的である。
【００７４】
［第５の実施形態と３つの変形例の説明：図４Ａ〜図４Ｅ］
次に、図４Ａ〜図４Ｅを用いて第５の実施形態の夜光性装飾物１５０及び断面構成の３つの変形例の夜光性装飾物１５５、夜光性装飾物１６０、夜光性装飾物１６５を説明する。
【００７５】
夜光性装飾物１５０、１５５、１６０、１６５の特徴は、いずれもスリット状の開口パターンを有する装飾部材２の下面側に夜光性装飾物とは異なる形状で夜光性部材３を配置することにより、明所では装飾部材２の開口パターンが目立たない鏡面状の光沢を有する金属感を得られ、暗所では装飾部材２とは異なる形状の発光表示ができる点である。４つの夜光性装飾物１５０、１５５、１６０、１６５は、それぞれ装飾部材２と夜光性部材３との間における夜光性部材３と充填部材の構成が異なる。
【００７６】
上記第１の実施形態〜第４の実施形態において、夜光性装飾物の側面に夜光性部材３が露出するように形成しておくことで、夜光性部材３の発光によって暗所での夜光性装飾物
の輪郭を視認し易くすることが可能となる。
【００７７】
［第５の実施形態の説明：図４Ａ、図４Ｂ］
まず、図４Ａ、図４Ｂを用いて夜光性装飾物１５０を説明する。
図４Ａは、夜光性装飾物１５０の平面図を示し、図４Ｂは、図４Ａに示す切断線Ｆ−Ｆ´における断面図を示す。図４Ａにおいて、夜光性装飾物１５０を構成する装飾部材２は、スリット状の開口部１が略等間隔に複数形成され、バターン化されている（装飾部材２の開口パターンは、透明部材５の下面側なので破線にて示されている）。また、各開口部１は、開口幅ｔ及び装飾部材の幅ｗに設定されている。
【００７８】
次に、図４Ｂにおいて、最上面には透明部材５を配置し、透明部材５の下面側に装飾部材２が形成されている。装飾部材２の下面側には夜光性部材３が、平面視で例えば数字の「４」の形状で所定の厚さに形成されている。また、夜光性部材３の下面側には基材４が配置されている。また、装飾部材２と基材４に挟持された夜光性部材３の周囲の空間は、夜光性部材３と同系色の充填部材６によって充填されている。また、夜光性部材３及び充填部材６は、基材４に透明接着剤５ｓを用いて接着されている。
【００７９】
次に、夜光性装飾物１５０の製造方法について説明する。
前述した製造工程Ｓ４（図２Ｄ参照）に示すように、透明部材５に形成された装飾部材２を上面側にした状態で、夜光性部材３を装飾部材２に例えば数字の「４」の形に形成する。特に限定はしないが、例えばシルク印刷等の方法を用いるとよい。夜光性部材３を形成し固化後に周囲に充填部材６を塗布（又は充填）し平坦化する。その後、装飾部材２側を基材４に対向させて、基材４に透明接着材５ｓを用いて接合する。ここで、充填部材６は、例えば夜光性部材３と同系色の顔料等を含有する塗料又は樹脂を用いることで、装飾部材２の開口パターンの上側から視認される夜光性部材３の色味を目立たないようにすることができる。装飾部材２の開口パターンの上側から視認される夜光性部材３の色味がそれほど目立たないようであれば、充填部材６を用いない構成としてもよい。
【００８０】
［発光動作の説明］
夜光性部材３は、装飾部材２に形成されたスリット状の開口パターンの下面側に例えば数字の「４」の形の領域に形成されている。明所において外部光が透明部材５の上面からスリット状の開口部を通過して夜光性部材３に蓄光し、暗所で発光する。そして、図４Ａに示すように発光部９（ハッチング部）がスリット状に発光する。実際にはスリットの幅やピッチは視認できないが、人間の目には「４」として視認できる（図は説明のために誇張して示している）。一方、明所では装飾部材２に形成されたスリット状の開口パターンは装飾部材２の開口部１が目立たない鏡面状の光沢を有する金属感を得られる。
【００８１】
これにより、夜光性装飾物１５０は、暗所では夜光性装飾物１５０の外形とは異なる形状（例えば、数字の４）に発光させることができ、明所では開口パターンが目立たない鏡面状の光沢を有する金属感のある夜光性装飾物１５０の外形を四角形とすることができる。尚、明所において夜光性部材３の周囲を夜光性部材と同系色の充填部材６で充填することで夜光性部材に特有の白緑色系の色味を目立たなくすることができる。また、夜光性部材を数字の「４」として形成したが、これに限定するものではなく、他の数字、文字、マーク、ロゴを形成してもよい。
【００８２】
［夜光性装飾物１５５（第５の実施形態における第１変形例）の説明：図４Ｃ］
次に、図４Ｃを用いて夜光性装飾物１５５（第５の実施形態における第１変形例）を説明する。図４Ｃは、図４Ａと同じ切断線における第１変形例の夜光性装飾物１５５の断面図を示す。夜光性装飾物１５５が夜光性部材１５０の構成と異なるところは、夜光性部材３の下面側及び周囲の空間が夜光性部材と同系色の充填部材６によって充填されている点
である。他の基本的な構成は夜光性装飾物１５０の構成と同様であるので、同一要素には同一番号又は同一符号を付し重複する説明は省略する。
【００８３】
このような構成とすることで、夜光性部材３と充填部材６とを平坦化する工程が不要となり製造が容易である。また、夜光性部材３の厚さを変えることが容易である。尚、夜光性装飾物１５５の発光動作及び効果は夜光性装飾物１５０と同様である。
【００８４】
［夜光性装飾物１６０（第５の実施形態における第２変形例）の説明：図４Ｄ］
次に、図４Ｄを用いて夜光性装飾物１６０（第５の実施形態における第２変形例）を説明する。図４Ｄは、図４Ａと同じ切断線における第２変形例の夜光性装飾物１６０の断面図を示す。夜光性装飾物１６０が夜光性部材１５０の構成と異なるところは、透明部材５及び装飾部材２と、基材４上に設けられた充填部材６とが透明接着剤５ｓによって接着されており、夜光性部材３の下面側において、夜光性部材３と基材４との間に夜光性部材３と同系色の充填部材６の層が形成されている点である。基本的な構成は夜光性装飾物１５０の構成と同様であるので、同一要素には同一番号又は同一符号を付し重複する説明は省略する。
【００８５】
このような構成とすることで、夜光性部材２と充填部材６の層とを、透明接着剤５Ｓを用いて容易に接着することができる。尚、充填部材６の層の形成は、特に限定しないが樹脂を塗布する方法あるいはフィルム状にして接着する方法でもかまわない。尚、夜光性装飾物１６０の発光動作及び効果は夜光性装飾物１５０と同様である。
【００８６】
［夜光性装飾物１６５（第５の実施形態における第３変形例）の説明：図４Ｅ］
次に、図４Ｅを用いて夜光性装飾物１６５（第５の実施形態における第３変形例）を説明する。図４Ｅは、図４Ａと同じ切断線における第３変形例の夜光性装飾物１６５の断面図を示す。夜光性装飾物１６５が夜光性部材１５０の構成と異なるところは、透明部材５の上面側に装飾部材２が形成され、透明部材５の下面側に充填部材６の層が形成されている点である。夜光性装飾物１５０の構成に対して装飾部材２と透明部材５が上下逆とした構成であるが他の構成は同様であるので、同一要素には同一番号又は同一符号を付し重複する説明は省略する。
【００８７】
このような構成とすることで、夜光性部材３の形状を容易に、且つ、正確に形成できる。また、夜光性部材３が充填部材６の中抜き部からはみ出た部分の周囲の空間は透明接着剤５ｓによって充填し接着してもよいし、充填部材６の中抜き部に夜光性接着剤３ｓを充填するとともに、透明接着剤５ｓを用いずに夜光性接着剤３ｓが基材４との接着層の役割を果たしてもよい。充填部材６は、特に限定はしないが、透明部材７の面に、例えば金属膜をスパッタリング法等により形成してもよく、あるいは顔料等を含む塗料、樹脂などをシルク印刷等により形成してもよい。好ましくは、夜光性部材３と同系色として夜光性部材の色味を目立たなくするとよい。また、第１の実施形態の夜光性装飾物６０、６５で説明したように、装飾部材２の保護層として第２の透明部材５を設けてもよい。尚、夜光性装飾物１６５の発光動作及び効果は夜光性装飾物１５０と同様である。
【００８８】
［色調整機能を有する透明部材の説明］
これまで説明した、各実施形態、各構成例、各変形例における夜光性装飾物において、装飾部材２に鏡面状の光沢を得るために利用する透明部材５は、夜光性部材３の視認側に設けられているので、透明部材５を着色することによって、夜光性部材３が発する特有の発光色の色味を変えることができる。例えば、アクリル、ポリカ―ボネート等の透明樹脂、又はガラスに、染料や顔料、蛍光体、あるいはそれらの複合物を含有させた透光性の透明部材とすることによって、暗所で発光する夜光性部材３の発光の色味を変えることができる。
【００８９】
例えば、蛍光体（Ｃａ１．２Ｅｕ０．８ＳｉＯ４）を用いると、波長３５０ｎｍ〜５００ｎｍの範囲に励起バンドを持ち、６５０ｎｍ（オレンジ系赤色）に発光ピークを有する色調整層とすることができる。また、特に限定はしないが他の蛍光体や染料、顔料を用いてもよい。また、透明部材５の表面に誘電体膜などを形成して光の干渉を利用して発光色の色味を変えてもよい。
【００９０】
このように、各実施形態において、透明部材５を色調整層とすることができる。尚、第１の実施形態の夜光性装飾物６０、６５及び、第５の実施形態の夜光性装飾物１６５の説明において、第２の透明部材５を設けて装飾部材２の保護層とする例をあげたが、第２の透明部材５についても色調整層を適用することができる。
【００９１】
［各実施形態に係る開口部のパターンと金属感の説明：図５Ａ〜図７Ｂ］
次に、図５Ａ〜図７Ｂを用いて、各実施形態に係る装飾部材の開口パターンの視認と、金属感の関係について説明する。
【００９２】
ここでは、第１の実施形態の図１Ａにて説明した夜光性装飾物５０の開口パターンを用いて詳しく説明するが、開口部１の幅ｔ、装飾部材の幅ｗを変化させた３つの開口パターン例（第１〜第３開口パターン）を図示し、それぞれ、夜光性装飾物５０ａ、夜光性装飾物５０ｂ、夜光性装飾物５０ｃとして説明する。
【００９３】
［第１開口パターン例：図５Ａ、図５Ｂ］
図５Ａは、夜光性装飾物５０ａの平面図を示し、図５Ｂは図５Ａの切断線Ａ−Ａ´における断面図を示す。図５Ａにおいて、装飾部材２に形成されたスリット状の開口部１は略等間隔で整列していて開口部１の幅はｔ、開口部間の距離はｗとする。また、図５Ｂにおいて、夜光性部材３の上面に装飾部材２が形成された例を示し、透明部材５は一点鎖線で示している。
【００９４】
夜光性装飾物５０ａは、開口部１の幅ｔを約３μｍに、装飾部材２の幅ｗを約１５．５μｍに想定して図示している。
【００９５】
［第２開口パターン例：図６Ａ、図６Ｂ］
図６Ａは夜光性装飾物５０ｂの平面図を示し、図６Ｂは図６Ａの切断線Ｂ−Ｂ´における断面図を示す。夜光性装飾物５０ｂは、開口部１の幅ｔを約１５．５μｍに、装飾部材２の幅ｗを約３μｍに想定して図示している。
【００９６】
［第３開口パターン例：図７Ａ、図７Ｂ］
図７Ａは夜光性装飾物５０ｃの平面図を示し、図７Ｂは図７Ａの切断線Ｃ−Ｃ´における断面図を示す。夜光性装飾物５０ｃは、開口部１の幅ｔを約３μｍに、装飾部材２の幅ｗを約３μｍに想定して図示している。
【００９７】
ここで、明所では、開口部１の幅ｔは、小さいほどパターンを視認し難く、大きいほどパターンを視認し易い。また、暗所では、開口部１の開口幅ｔは、小さいほど夜光性部材３の発光を視認し難く、大きいほど発光を視認し易い。このような明所における開口パターンの視認と、暗所における夜光性部材３の発光の視認に関する詳細な説明は後述する。
【００９８】
一方、明所において、装飾部材２の幅ｗは、小さいほど金属感が薄れ、大きいほど金属感が増すが、発明者が試作を重ねた検証実験の結果によれば、同一面積内における装飾部材２の占有面積が大きいほど金属感が増すことが確認された。それをもとに３つの開口パターン例における装飾部材２の面積を比較すると、夜光性装飾物５０ａ＞夜光性装飾物５
０ｃ＞夜光性装飾物５０ｂとなっている。
【００９９】
つまり、夜光性装飾物５０ａの金属感が最も大きく、次いで夜光性装飾物５０ｃ、夜光性装飾物５０ｂの順に金属感が小さいということがわかる。したがって、装飾部材２の金属感は、装飾部材２の幅ｗに加えて装飾部材２の面積比率を考慮することが重要である。
【０１００】
［開口幅ｔと視認距離Ｌと視力の関係の説明：図８、図９Ａ、図９Ｂ］
次に、開口部１の幅ｔと視認の関係について説明する。
【０１０１】
図８は、明所で人間が装飾部材２の開口部１を視認するときに、開口部１の幅ｔと、視認距離Ｌ（ｍ）と、人間の視力との関係を示すグラフである。また、図９Ａは、年齢（歳）とディオプトリ（Ｄ）と近点（ｃｍ）との関係を表にしたものであり、図９Ｂは、年齢と近点との関係をグラフにしたものである。尚、ディオプトリ（Ｄ）とは、人間の目の焦点距離をメートルで表したものを逆数にしたものである。
【０１０２】
［視力の説明：図８］
図８において、グラフの横軸は、視認対象物と人間の目との視認距離Ｌ（ｍ）を示し、縦軸は、装飾部材２の開口部１の幅ｔ（μｍ）を示している。符号Ｓ１は人間の視力が１．５の場合の視認特性を示す。符号Ｓ１は視認距離Ｌと視認可能な開口部１の幅ｔに係る直線で表現され、図中には太い実線で示している。
【０１０３】
実線Ｓ１より上側の領域は、開口部１の幅ｔを視認できる領域である。また、実線Ｓ１より下側の領域は開口部１の幅ｔを視認できない領域である。
【０１０４】
実線Ｓ１は、視認距離Ｌが小さいほど開口部１の幅ｔをよく視認でき、視認距離Ｌが大きいほど開口部１の幅ｔを視認しにくいことを示している。
【０１０５】
また、参考として符号Ｓ２は視力２．０の場合の視認特性を示しており、図中には破線で示している。破線Ｓ２は実線Ｓ１と同様に視認距離Ｌが小さいほど開口部１の幅ｔがよく視認でき、視認距離Ｌが大きいほど開口部１の幅ｔが視認しにくい事を示す直線であるが、破線Ｓ２は実線Ｓ１よりもグラフの下方にあり、直線の上側領域が実線Ｓ１より広いので開口部１の幅ｔを視認する能力が高いことを示している。
【０１０６】
ここで、視力は一般的によく知られた次の数式１で定義される。Ｌは人間の目から対象までの距離（ｍ）を示し、ｔは視認できる最小の大きさ（ｍｍ）を示している。
【０１０７】
【数１】
0006752583.tif 000002
また、数式１についてｔを求める式に変形すると以下の数式２となる。
【０１０８】
【数２】
0006752583.tif 000003
数式２において、ｔは、Ｌに比例することを表しているので、視力Ｓ１及び視力Ｓ２は、図８に示す様な直線となることを示している。
【０１０９】
ここで、一般的に、人間の視力において、視力１．５はよく見える方とされており、視
力が良いとされる視力２．０の人間はかなり少ないとされている。したがって、以下の説明においては視力１．５の人間の視力を基準として考察する。
【０１１０】
［年齢とディオプトリと近点の説明：図９Ａ、図９Ｂ］
人間の目は、ピントを調節することができ、その調節力を現す単位としてディオプトリ（Ｄ）という単位が用いられる。ディオプトリは、人間の目の焦点距離をメートルで表したものの逆数である。ディオプトリは値が大きいと近い距離でピント調節が可能なことを示しており、値が小さくなるにしたがってピント調節が可能な距離が遠くなることを示している。ディオプトリは一般的によく知られる以下の数式３で定義される。Ｄはディオプトリの値を示し、近点は人間の目がピントを合わせられる一番近い距離を示している。
【０１１１】
【数３】
0006752583.tif 000004
また、数式３について近点を求める式に変形すると以下の数式４になる。
【０１１２】
【数４】
0006752583.tif 000005
図９Ａに示す表において、ディオプトリ（Ｄ）は年齢とともに変化することを示している。また、数式４を用いて近点（ｃｍ）を計算することができる。これにより、年齢と、ディオプトリ（Ｄ）、近点（ｃｍ）の相関がわかり、年齢が増すにつれて近点が遠くなることがわかる。図９Ｂは、この近点（ｃｍ）と年齢の相関をグラフに現したものである。
【０１１３】
図９Ｂに示すグラフによれば、近点は、年齢が１０歳〜１５歳頃をピークとして最短の８ｃｍであり、６０歳では１００ｃｍとなる。つまり、近点のピーク値は約８ｃｍであり、１０歳〜１５歳頃の人間が最もピントの調節力が高いことを示している。
【０１１４】
ここで、１０歳〜１５歳頃にみられる人間の近点のピーク値をＬｍ１（一点鎖線）として図８のグラフに示した。Ｌｍ１は、縦軸に平行で横軸の０．０８ｍの位置に示す。Ｌｍ１より右側の領域はピントを合わせることができる領域であり、Ｌｍ１より左側の領域はピントの調節能力が最もある年齢（１０歳〜１５歳頃）の人間でもピントを合わせることができない領域である。このＬｍ１の左側領域をＡｒ１とする。
【０１１５】
［夜光性部材の発光の視認に関する説明：図８］
次に、暗所で装飾部材２の下側にある夜光性部材３の発光の視認について説明する。暗所では夜光性部材３の発光の視認は装飾部材２に形成された開口部１の幅に依存し、開口部１の幅が狭くなるにつれて視認できなくなる限界がある。
【０１１６】
発明者は、装飾部材２に形成する開口部１の幅ｔの値と、開口パターンの種類を変えて試作実験を行った。暗所において実験を繰り返し行った結果、開口部１の幅ｔが３μｍ未満になると夜光性部材の発光を視認することが難しくなることを見いだした。
【０１１７】
この夜光性部材３の発光を視認できる開口部１の幅ｔの下限値をＬｍ２（一点鎖線）として図８のグラフに示した。Ｌｍ２は横軸に平行で縦軸の３μｍの位置に示す。Ｌｍ２より上側の領域は、暗所で夜光性部材３の発光を視認できる領域であり、Ｌｍ２より下側の領域は発光の視認が困難な領域である。このＬｍ２の下側領域をＡｒ２とする。
【０１１８】
［明所で視認できる開口部の幅ｔの説明：図８］
図８において、前述したように実線Ｓ１の直線よりも上側の領域は開口部１の幅ｔを視認できる領域である。また、Ｌｍ１より右側領域はピント調節が可能な領域である。
【０１１９】
ここで、実線Ｓ１の直線とピント調節の限界線Ｌｍ１との交点座標を求める。その交点は、数式２を用いて計算すると、Ｌ＝０．０８ｍのとき、開口部１の幅ｔは約１５．５μｍとなる。ここで、ｔ＝１５．５μｍを示す限界線をＬｍ３（一点鎖線）として図８のグラフに示した。
【０１２０】
図８において、実線Ｓ１の上側領域で、しかもＬｍ１より右側の領域（視力Ｓ１とＬｍ１の交点よりも上側のハッチング領域）をＡｒ３とすれば、Ａｒ３はピントが合い、且つ開口部１の幅ｔが１５．５μｍであり開口部１を視認可能な領域である。
【０１２１】
一方、実線Ｓ１より上の領域で、且つＬｍ３より下側の領域は、計算上は開口部１の幅ｔを視認可能な領域ではあるが、ピント調整能力の限界を超えてしまっているため、明瞭な映像として視認することができないので、結果として視認不可となる。また、実線Ｓ１より下側の領域は、前述したように、仮にピントが合っても開口部１の幅ｔを視認不可の領域である。
【０１２２】
［暗所で夜光発光が視認でき、明所で視認できない開口部の幅ｔの説明：図８］
以上に説明したように、暗所で夜光性部材３の発光を視認できる開口部１の幅は３μｍ以上であり、明所で視認できない開口部１の幅ｔは、１５．５μｍ未満である。つまり、図８に示すグラフにおいて、縦軸のＬｍ２とＬｍ３の間の領域において、暗所では夜光性部材３の発光が視認でき、明所では装飾部材２の開口部１を視認できないのである。
【０１２３】
このように、装飾部材２に形成する開口パターンの開口部１の幅ｔを３μｍ以上、１５．５μｍ未満に設定することにより、視力１．５の人間は、暗所では夜光性部材３の発光が視認でき、明所では装飾部材２の開口部１の幅ｔを視認できない夜光性装飾物とすることができる。
【０１２４】
ここで、前述したように、開口部１のパターン（開口部１の幅ｔ、装飾部材２の幅ｗ）と金属感の関係（図５Ａ〜図７Ｂ参照）も考慮する必要があるので、暗所で発光を視認でき、明所で視認できない開口部１の幅ｔは、３μｍ以上、１５．５μｍ未満を目安として設定し、同時に金属感については、装飾部材の幅ｗと面積比率を考慮することが必要であり、好ましくは試作によって確認するとよい。
【０１２５】
また、視力１．５の人間の視力特性を基準として説明したが、例えば視力２．０の人間では開口部１の幅は若干視認しやすくなる。例えば、視力２．０として数式２を用いて計算すると、視認できない開口部１の幅ｔは約１１．６μｍとなる（図８のＬｍ３参照）。したがって、製品によっては、このことも考慮して開口部１の幅ｔを調整してもよい。
［開口パターンの変形例の説明：図１０］
図１０は、装飾部材２に設ける開口パターンの変形例（１ａ〜１ｄ）を示したものである。前述した各実施形態又は構成例に示したスリット状のパターンに加えて、１ａは格子状のパターン、１ｂはハニカム状のパターン、１ｃは角孔を格子状に配列したパターン、１ｄは丸孔を格子状に配列したパターンである。
【０１２６】
図１０に示す開口パターンは、開口部１の幅ｔは３μｍ以上、１５．５μｍ未満を目途に形成するが、パターンの細部形状と開口部１の幅と面積比率については試作を行い、視認性と金属感の確認を行い決定することが望ましい。このようにして、開口部１の幅とパターンを決めて形成することによって、暗所では夜光性部材３の発光が視認でき、明所で
は開口部１を視認できない（又は目立たない）、金属感を有する夜光性装飾物とすることができる。
【０１２７】
尚、開口パターンは上述したパターンに限定されず目的を同一とする他のパターンでもよい。また、すでに説明したすべての実施形態、構成例、変形例に適用できる。
【０１２８】
［夜光性装飾物を指針式の腕時計に用いた応用例の説明：図１１Ａ〜図１１Ｃ］
次に、図１１Ａ〜図１１Ｃを用いて夜光性装飾物を指針式の腕時計に用いた応用例を説明する。図１１Ａは、夜光性装飾物を応用した腕時計５００の断面図であり、図１１Ｂは、情報表示部１２０の平面図であり、図１１Ｃは、図１１Ｂに示すＢ部の斜視図である。
【０１２９】
腕時計５００の特徴は、情報表示部１２０に夜光指針１０７と夜光時字１０５ａを用い、その構成に夜光装飾物の構成例を応用した点である。
【０１３０】
まず、図１１Ａにおいて、腕時計５００は、外装ケース１０１の内部に情報表示部１２０及びムーブメント１０９を搭載し、外装ケース１０１の一方の側（図１１Ａの上方）から風防部材１０２をパッキン１０３とともに圧入し、他方の側（図１１Ａの下方）から裏蓋１１１を嵌めこんだ構成となっている。
【０１３１】
次に、情報表示部１２０は、本発明の夜光性装飾物を応用した夜光時字１０５ａが配置された文字板１０６、夜光指針１０７、見切り部材１０８などからなり、時刻を表示できるようになっている。
【０１３２】
ムーブメント１０９は、電子回路及び夜光指針１０７を駆動する機械駆動機構や電池などを有している。
【０１３３】
裏蓋１１１は、情報表示部１２０及びムーブメント１０９を外装ケース１０１に搭載した後に、裏蓋用のスペーサ１１０を介して外装ケースの裏側（図１１Ａの下方）から圧入等によって嵌め込まれ固定される。
【０１３４】
次に、図１１Ｂにおいて、夜光時字１０５ａは、文字板１０６の外周部であって、見切り部材１０８の内側に円周方向に所定の角度間隔で配置されている。また、１２時の時字は他の時字と区別できるようになっている。そして、夜光時針１０７ｂと夜光分針１０７ａと夜光時字１０５ａは、平面視で半径方向において夜光部が重ならないような位置関係になっていて暗所での時刻の読み取りを容易にしている。
【０１３５】
ここで、夜光指針１０７は、夜光時針１０７ｂ及び夜光分針１０７ａに夜光性装飾物が形成されている。例えば前述した夜光性装飾物５０（図１Ａ参照）と同様の構成によって、指針を形成する基材（例えばステンレス）に組み込まれている。そして、夜光時針１０７ｂ及び夜光分針１０７ａ所定の領域に、それぞれ、スリット状の開口部１が複数形成されパターン化されている。尚、ここでは透明部材５は、図示を省略している。
【０１３６】
また、夜光時字１０５ａは、例えば夜光性装飾物５０と同様の構成になっている。夜光時字１０５ａは、直方体の夜光性部材３の周囲を装飾部材２に覆われていて、装飾部材２にスリット状の開口部１が複数形成されパターン化されている。同様に、透明部材５は図示を省略している。
【０１３７】
次に、図１１Ｃにおいて、夜光分針１０７ａ及び夜光時字１０５ａに設けたスリット状の開口部１の幅ｔは、ｔ＝３μｍ以上、１５．５μｍ未満の範囲になっている。また、装飾部材の幅ｗは、金属感を考慮して面積比を決めてある。尚、ここでは説明をし易くする
ために、開口部１の幅ｔ及び装飾部材２の幅ｗは実際よりも大きくして誇張して示している。
【０１３８】
以上説明したように、夜光指針１０７（１０７ａ、１０７ｂ）及び夜光時字１０５ａは装飾部材２に透明部材の光沢面を利用して鏡面状の光沢のある金属感を有し、開口パターンは、開口部１の幅ｔは、３μｍ以上、１５．５μｍ未満の範囲で形成されており、また、装飾部材２の幅ｗは金属感を考慮して面積比を決めている。
【０１３９】
これにより、腕時計５００は、暗所では夜光性部材３の発光を視認でき時刻を知ることができる。また、明所では装飾部材２の開口パターンを視認できない（又は目立たない）鏡面状の光沢を有し、金属感のある腕時計とすることができる。また、例えば、夜光性装飾物１５０を組み込むことによって、暗所で夜光性装飾物とは異なる形状に発光する表示を行うことができる。また、透明部材５に染料、顔料等を含有させて、発光色の色味を変える表示などを行う腕時計とすることもできる。
【０１４０】
尚、腕時計５００を構成する情報表示部１２０の他の構成部材において、前述したすべての夜光性装飾物の構成及び開口パターンのいずれも適用することができる。特に限定はしないが、例えば、秒針、ロゴ、見切り部材、カレンダー、外装ケースなどである。
【０１４１】
以上、夜光性装飾物の各種実施形態及び構成例及びその応用例について詳細に説明したが、本発明は、このような実施形態及び構成例及び応用例に限定されるものではなく、細部の構成、素材、数量等において、本発明の思想を逸脱しない範囲で、任意に変更、追加、削除することができる。即ち、上述した夜光性装飾物の実施形態及び構成例及び応用例に限定されることはなく、それらのすべてを行う必要もなく、特許請求の範囲の各請求項に記載した内容の範囲で種々に変更や省略をすることができる。
【産業上の利用可能性】
【０１４２】
本発明は、蓄光性の夜光性部材を使用して夜間の暗い場所でも情報を正しく読み取る用途、例えば時計や電子機器、表示板などに適用することができる。特に美しさに価値を見いだす装飾品や、情報を正しく読み取る視認性と優れた装飾性とを必要とする製品に好適である。
【符号の説明】
【０１４３】
１    開口部
１ａ、１ｂ、１ｃ、１ｄ  開口パターン
ｔ    開口部の幅
ｗ    装飾部材の幅
２    装飾部材
３    夜光性部材
３ｓ  夜光性接着剤
４    基材
５    透明部材
５ｓ  透明接着剤
６    充填部材
９    発光部
１１  レジスト
１２  凹部
５０、５５、６０、６５、７０、７５、８０
５０ａ、５０ｂ、５０ｃ、
１５０、１５５、１６０、１６５    夜光性装飾物
Ｌｍ１  ピントの合う限界
Ｌｍ２  夜光性部材の発光を視認できる限界
Ｌｍ３  視認できる開口部の幅の限界
Ａｒ１、Ａｒ２、Ａｒ３  領域
Ｓ１、Ｓ２  視力
１０１  外装ケース
１０２  風防部材
１０３  パッキン
１０４  時字
１０５ａ  夜光時字
１０６  文字板
１０７、１０７ａ、１０７ｂ  夜光指針
１０８  見切り部材
１０９  ムーブメント
１１０  スペーサ
１１１  裏蓋
１２０  情報表示部
５００  腕時計
【図１Ａ】
0006752583.tif 000006
【図１Ｂ】
0006752583.tif 000007
【図１Ｃ】
0006752583.tif 000008
【図１Ｄ】
0006752583.tif 000009
【図２Ａ】
0006752583.tif 000010
【図２Ｂ】
0006752583.tif 000011
【図２Ｃ】
0006752583.tif 000012
【図２Ｄ】
0006752583.tif 000013
【図２Ｅ】
0006752583.tif 000014
【図２Ｆ】
0006752583.tif 000015
【図３Ａ】
0006752583.tif 000016
【図３Ｂ】
0006752583.tif 000017
【図３Ｃ】
0006752583.tif 000018
【図４Ａ】
0006752583.tif 000019
【図４Ｂ】
0006752583.tif 000020
【図４Ｃ】
0006752583.tif 000021
【図４Ｄ】
0006752583.tif 000022
【図４Ｅ】
0006752583.tif 000023
【図５Ａ】
0006752583.tif 000024
【図５Ｂ】
0006752583.tif 000025
【図６Ａ】
0006752583.tif 000026
【図６Ｂ】
0006752583.tif 000027
【図７Ａ】
0006752583.tif 000028
【図７Ｂ】
0006752583.tif 000029
【図８】
0006752583.tif 000030
【図９Ａ】
0006752583.tif 000031
【図９Ｂ】
0006752583.tif 000032
【図１０】
0006752583.tif 000033
【図１１Ａ】
0006752583.tif 000034
【図１１Ｂ】
0006752583.tif 000035
【図１１Ｃ】
0006752583.tif 000036